(57)【特許請求の範囲】
【請求項１】
照明部、連結部、電源部、及び取付部を含み、
前記照明部は、ＬＥＤが実装されたＬＥＤ実装体を有し、
前記連結部は、
使用時における上下方向を長手方向とする側面に複数の孔が設けられ前記電源部が前記連結部の側面に配置された中空の柱状体であり、
その下方向の一端に前記照明部が配置され、
その上方向の他端に前記取付部が配置され、
前記照明部の前記ＬＥＤ実装体の実装面とは反対側の面に設けられ上方向に突起した取付部分を介して、前記ＬＥＤ実装体が前記連結部に連結され、
前記電源部は、使用時における上下方向に沿って、前記連結部の側面に配置され、
前記取付部は、対象への取り付け部であり、
前記取付部を前記対象に取り付けることによって、前記連結部を介して前記照明部を前記 対象に連結することを特徴とする天井用ＬＥＤ照明装置。
【請求項２】
天井に設けられた開口部に挿入される天井用ＬＥＤ照明装置であり、
さらに、カバーを含み、
前記カバーは、
前記照明部の照射面側に配置され、
前記照明部からの照射光を透過できる板状体であり
前記天井の開口部に前記天井用ＬＥＤ照明装置を挿入した場合、前記カバーにより、前記 開口部の開口面が塞がれる、請求項１記載の天井用ＬＥＤ照明装置。
【請求項３】
前記照明部は、さらに、前記ＬＥＤ実装体を支持する支持部を含み、
前記支持部が前記支持部に設けられた取付部分を介して前記連結部に連結することによって、前記連結部の前記下方向の一端に前記照明部が配置されている、請求項１又は２に記載の天井用ＬＥＤ照明装置。
【請求項４】
前記取付部の対象が、昇降機用の端子台である、請求項１から３のいずれか一項に記載の 天井用ＬＥＤ照明装置。
【請求項５】
請求項１〜４のいずれか一項に記載の天井用ＬＥＤ照明装置、及び昇降機を含み、
前記昇降機は、
本体、索条、及び端子台を含み、
前記本体と前記端子台との間に、前記本体からの繰り出し及び巻き上げが可能なように、前記索条が配置され、
前記天井用ＬＥＤ照明装置は、その取付部を、前記対象として前記昇降機の端子台に取り 付けることによって、前記天井用ＬＥＤ照明装置を前記端子台に連結し、
前記昇降機は、前記索条の繰り出し及び巻き上げによって、前記端子台に連結された前記天井用ＬＥＤ照明装置を昇降させることを特徴とする昇降式天井用ＬＥＤ照明装置。
【発明の詳細な説明】
【技術分野】
【０００１】
本発明は、天井用ＬＥＤ照明装置及び昇降式天井用ＬＥＤ照明装置に関する。
【背景技術】
【０００２】
体育館の天井のような高い場所に据え付けて使用する天井用照明装置は、一般的に、光源を有する照明器具と、前記照明器具を昇降動作させる駆動ユニットとを組み合わせて構成されており、前記光源として高圧放電ランプ（ＨＩＤランプ）が用いられている（特許文献１）。
【先行技術文献】
【特許文献】
【０００３】
【特許文献１】特開２００１−１２６５２８号公報
【発明の概要】
【発明が解決しようとする課題】
【０００４】
しかしながら、特許文献１記載のように、前記光源としてＨＩＤランプを用いた場合、前記天井用照明装置は、消費電力が高く、寿命が約１００００時間と短いものとなる。また、前記光源としてＨＩＤランプを用いた場合、例えば、消灯直後に再点灯する際、点灯までの時間が遅く、再始動性が悪い。このため、特許文献１記載の天井用照明装置では、消費電力、光源の寿命及び再始動性の点で問題がある。
【０００５】
そこで、本発明は、ＨＩＤランプを用いることによる消費電力、光源の寿命、及び再始動性の問題を改善可能な天井用ＬＥＤ照明装置及び昇降式天井用ＬＥＤ照明装置の提供を目的とする。
【課題を解決するための手段】
【０００６】
前記目的を達成するために、本発明の天井用ＬＥＤ照明装置は、
照明部、連結部、電源部、及び取付部を含み、
前記照明部は、ＬＥＤが実装されたＬＥＤ実装体を有し、
前記連結部は、
使用時における上下方向を長手方向とする側面に複数の孔が設けられ前記電源部が前記連結部の側面に配置された中空の柱状体であり、
その下方向の一端に前記照明部が配置され、
その上方向の他端に前記取付部が配置され、
前記照明部の前記ＬＥＤ実装体の実装面とは反対側の面に設けられ上方向に突起した取付部分を介して、前記ＬＥＤ実装体が前記連結部に連結され、
前記電源部は、使用時における上下方向に沿って、前記連結部の側面に配置され、
前記取付部は、対象への取り付け部であり、
前記取付部を前記対象に取り付けることによって、前記連結部を介して前記照明部を前記 対象に連結することを特徴とする。
【０００７】
本発明の昇降式天井用ＬＥＤ照明装置は、
本発明の前記天井用ＬＥＤ照明装置、及び昇降機を含み、
前記昇降機は、
本体、索条、及び端子台を含み、
前記本体と前記端子台との間に、前記本体からの繰り出し及び巻き上げが可能なように、前記索条が配置され、
前記天井用ＬＥＤ照明装置は、その取付部を、前記対象として前記昇降機の端子台に取り付けることによって、前記天井用ＬＥＤ照明装置を前記端子台に連結し、
前記昇降機は、前記索条の繰り出し及び巻き上げによって、前記端子台に連結された前記天井用ＬＥＤ照明装置を昇降させることを特徴とする。
【発明の効果】
【０００８】
本発明によれば、天井用照明装置において、ＨＩＤランプに代えて、ＬＥＤを用いることにより、ＨＩＤランプを用いることによる消費電力、光源の寿命、及び再始動性の問題を改善可能である。
【図面の簡単な説明】
【０００９】
【図１】図１（ａ）〜（ｃ）は、実施形態１の天井用ＬＥＤ照明装置の一例を示す平面斜視図、正面図、及び下面斜視図である。
【図２】図２は、実施形態１の天井用ＬＥＤ照明装置の別の一例を示す平面斜視図である。
【図３】図３は、実施形態２の天井用ＬＥＤ照明装置の一例を示す平面斜視図である。
【図４】図４（ａ）は、実施形態３の昇降式天井用ＬＥＤ照明装置の構成要素である昇降機の一例を示す下面斜視図であり、図４（ｂ）は、図４（ａ）の昇降機を構成要素とする昇降式天井用ＬＥＤ照明装置の一例を示す下面斜視図である。
【発明を実施するための形態】
【００１０】
以下、本発明の天井用ＬＥＤ照明装置について、図面を参照して詳細に説明する。ただし、本発明は、以下の説明に限定されない。なお、以下の図１〜図４において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１１】
［実施形態１］
［天井用ＬＥＤ照明装置］
図１（ａ）〜（ｃ）は、それぞれ、本実施形態の天井用ＬＥＤ照明装置の一例を示す平面斜視図、正面図、及び下面斜視図である。同図に示す天井用ＬＥＤ照明装置１００は、照明部１０、連結部２０、電源部３０、及び取付部４０を構成要素として含む。
【００１２】
以下、「上下方向」とは、使用時における連結部２０の上下方向をいい、図１の矢印Ｘで示す方向をいい、「上方向」とは、前記「上下方向」の上方向をいい、同図の矢印Ｘ１で示す方向をいい、「下方向」とは、前記「上下方向」の下方向をいい、同図の矢印Ｘ２で示す方向をいう。
【００１３】
（照明部１０）
照明部１０は、ＬＥＤ（図示せず）が実装されたＬＥＤ実装体１１、及びＬＥＤ実装体１１を支持する支持部１２を有する。
【００１４】
ＬＥＤ実装体１１とは、例えば、１又は複数のＬＥＤが実装された基板をいう。尚、同図に示すＬＥＤ実装体１１の形状は、正方形形状をしているが、本実施形態において、前記ＬＥＤ実装体の形状は、これに限定されない。
【００１５】
支持部１２は、図１に示すように、例えば、板状の土台部１４と、土台部１４の対向する端部から下方向に延びる一対の挟持部１３とを有し、同図（ｂ）の正面図に示すように、その断面形状は、例えば、下方が開放された略コの字形状である。支持部１２は、同図に示すように、例えば、支持部１２の一対の挟持部１３の下方端部において、ＬＥＤ実装体１１を挟持した状態で、ＬＥＤ実装体１１を支持する。また、支持部１２の土台部１４は、その上方面に、後述の連結部２０に取り付けるために上方向Ｘ１に突起した一対の取付部１５が設けられている。そして、支持部１２の土台部１４は、一対の取付部１５においてねじ等の固定手段により、連結部２０に固定される。尚、本実施形態において、照明部１０は、支持部１２を構成要素として備えていなくても良い。
【００１６】
支持部１２の形成材料としては、特に制限されず、例えば、プラスチック、鉄、アルミニウム、マグネシウム等の金属が挙げられ、これらは、単一又は合金で使用しても良く、合金で使用する場合は、例えば、アルミニウム、マグネシウム等の合金系材料等が挙げられる。
【００１７】
（連結部２０）
連結部２０は、使用時における上下方向Ｘを長手方向とする中空の柱状体である。同図に示すように、下方向Ｘ２の一端に照明部１０が配置され、上方向Ｘ２の他端に取付部４０が配置される。同図の天井用ＬＥＤ照明装置１００では、例えば、支持部１２が連結部２０に連結することによって、連結部２０の下方向Ｘ２の一端に照明部１０が配置される。
【００１８】
連結部２０の形成材料としては、特に制限されず、例えば、支持部１２の形成材料として例示したものを用いてもよい。
【００１９】
（電源部３０）
電源部３０は、例えば、ＬＥＤを駆動するための電源回路、前記電源回路を収納するケース、及び前記電源回路をＬＥＤ実装体１１と電気的に接続するための配線を構成要素として備える。尚、同図では、２つの電源部３０が設けられているが、これに限定されず、１つであっても良いし、複数であっても良い。
【００２０】
電源部３０は、同図に示すように、上下方向Ｘに沿って、連結部２０の側面に配置される。そして、前記配線は、例えば、同図では図示していないが、連結部２０の中空内部２１を通り、照明部１０のＬＥＤ実装体１１と電気的に接続している。
【００２１】
（取付部４０）
取付部４０は、対象への取り付け部である。取付部４０を前記対象に取り付けることによって、連結部２０を介して照明部１０を前記対象に連結する。
【００２２】
前記対象としては、特に制限されず、例えば、昇降機用の端子台等が挙げられる。
【００２３】
本実施形態の天井用ＬＥＤ照明装置１００は、発光素子としてＬＥＤを用いる。ＬＥＤを用いることにより、即時点灯が可能であるため、ＨＩＤランプのように、完全に点灯する（出力が１００％の明るさになる）までに時間を要さない。このため、ＬＥＤを用いることにより消費電力を低く抑えることができ、再始動性が良好である。また、寿命が通常約１００００時間であるＨＩＤランプと比較して、ＬＥＤの寿命は、通常、約４００００時間以上と高寿命である。このため、ＬＥＤを用いることにより、長時間使用できるので光源の寿命を改善できる。このように、本発明は、ＨＩＤランプに代えてＬＥＤを用いることにより、消費電力、光源の寿命、及び再始動性の問題を改善可能である。また、本実施形態の天井用ＬＥＤ照明装置１００は、ＬＥＤを用いることにより、照明の明るさを連続的に又は段階的に調整（調光）することができる。このため、ＨＩＤランプのように、前記調光のために、光源そのものを取り換える必要はない。
【００２４】
本実施形態の天井用ＬＥＤ照明装置１００では、電源部３０は、使用時における上下方向Ｘに沿って、連結部２０の側面に配置されている。このように、電源部３０がコンパクトに配置されているため、本実施形態の天井用ＬＥＤ照明装置１００は、軽量化を図ることができる。また、このように、電源部３０を配置することにより、例えば、配線の取り扱いや配置が簡略化されるため、照明装置全体の構造の簡素化を図ることができる。
【００２５】
本実施形態の天井用ＬＥＤ照明装置１００の連結部２０は、図１に示すように、中空の柱状体であることが好ましい。これにより、本実施形態の前記天井用ＬＥＤ照明装置１００は、さらに、軽量化を図ることができる。
【００２６】
本実施形態の天井用ＬＥＤ照明装置１００の連結部２０は、図１に示すように、側面に複数の孔が設けられることが好ましい。これにより、本実施形態の天井用ＬＥＤ照明装置１００は、さらに、軽量化を図ることができる。
【００２７】
本実施形態の天井用ＬＥＤ照明装置１００の支持部１２は、図１に示すように、連結部２０を取り付けるための土台部１４と、挟持部１３の下方端部とは、一定の距離をおいていることが好ましい。これにより、土台部１４と、挟持部１３の下方に取り付けられたＬＥＤ実装体１１との間に一定の距離をとることができる。このため、天井用ＬＥＤ照明装置１００は、ＬＥＤ実装体１１の実装面とは反対側の面にヒートシンク等を配置するためのスペースを設けることができる。
【００２８】
本実施形態の天井用ＬＥＤ照明装置１００のＬＥＤ実装体１１の形状は、例えば、前記天井用ＬＥＤ照明装置を天井に設けられた開口部に挿入する場合、前記挿入する開口部の開口面の形状と略同一であることが好ましい。これにより、天井に設けられた前記開口部の開口面がＬＥＤ実装体１１により塞がれるため、外観の見栄えを向上できる。
【００２９】
図１に示す天井用ＬＥＤ照明装置１００では、照明部１０の構成要素として支持部１２を備えるが、本実施形態において、天井用ＬＥＤ照明装置は、前述のように、前記支持部を前記照明部の構成要素として備えなくても良い。図２は、本実施形態における天井用ＬＥＤ照明装置の別の一例を示す平面斜視図であり、支持部１２を有さない形態である。同図に示す天井用ＬＥＤ照明装置２００において、ＬＥＤ実装体１１の実装面とは反対側の面に設けられた上方向に突起した取付部分１５を介して、ＬＥＤ実装体１１が、ねじ等の固定手段により、連結手段２０に固定されても良い。尚、同図に示す天井用ＬＥＤ照明装置２００は、これ以外は、図１に示す天井用ＬＥＤ照明装置１００と同一である。
【００３０】
［実施形態２］
図３は、本実施形態の天井用ＬＥＤ照明装置の一例を示す平面斜視図である。
【００３１】
同図に示すように、天井用ＬＥＤ照明装置３００は、カバー６０を含む。同図に示すように、カバー６０は、照明部１０の照射面側に配置され、照明部１０からの照射光を透過できる板状体である。天井用ＬＥＤ照明装置３００は、カバー６０を含むこと以外は、図１（ａ）〜（ｃ）の天井用ＬＥＤ照明装置１００と同一である。
【００３２】
カバー６０の形成材料としては、特に制限されず、照明部１０の照射光を透過可能な一般的な材料であれば良い。
【００３３】
天井用ＬＥＤ照明装置３００を、開口部を有する天井に据え付ける形態について説明する。天井には、例えば、照明装置を挿入するための開口部が複数設けられている。前記開口部の開口面の形状が、略円形状の場合、カバー６０は、前記開口部の開口面と同一の形状、すなわち略円形状を有しており、大きさも略同一であることが好ましい。この場合、天井用ＬＥＤ照明装置３００を天井の前記開口部に挿入すれば、カバー６０により、前記開口部の開口面が塞がれる。このように、本実施形態の天井用ＬＥＤ照明装置では、天井に設けられた前記開口部の開口面がカバー６０により塞がれるため、外観の見栄えを向上させることができる。
【００３４】
同図に示すカバー６０の形状及び大きさは、特に制限されず、天井に設けられた前記開口部の開口面に合わせて適宜設定変更しても良い。
【００３５】
［実施形態３］
本実施形態の昇降式天井用ＬＥＤ照明装置は、実施形態１若しくは２の天井用ＬＥＤ照明装置及び昇降機を含む。
【００３６】
図４（ａ）は、昇降機の一例を示す下面斜視図であり、図４（ｂ）は、図４（ａ）の昇降機に、実施形態１の天井用ＬＥＤ照明装置を取り付けた昇降式天井用ＬＥＤ照明装置の一例を示す下面斜視図である。同図（ｂ）の昇降式天井用ＬＥＤ照明装置の構成要素である天井用ＬＥＤ照明装置１００は、実施形態１における図１の天井用ＬＥＤ照明装置１００と同一である。
【００３７】
［昇降機］
同図に示す昇降機６００は、本体６１０、索条６２０、及び端子台６３０を主要構成要素として含む。本実施形態において、昇降機６００は、特に制限されず、照明装置を昇降動作可能な一般的な昇降機に代替しても良い。具体的には、例えば、前記昇降機６００としては、光源としてＨＩＤランプを用いた昇降式天井用照明装置に用いられる一般的な昇降機であっても良い。
【００３８】
本体６１０は、例えば、索条６２０を繰り出し又は巻き上げるモータ及び前記モータを駆動するための電源を内部に備える。
【００３９】
索条６２０としては、特に制限されず、例えば、ワイヤ、ロープ、チェーン等が挙げられる。
【００４０】
昇降機６００は、例えば、天井内部に配置される。同図に示すように、本体６１０と端子台６３０との間に、本体６１０からの繰り出し及び巻き上げが可能なように、索条６２０が配置されている。そして、天井用ＬＥＤ照明装置１００は、取付部４０を、昇降機の端子台６３０に取り付けることによって、天井用ＬＥＤ照明装置１００を端子台６３０に連結する。そして、昇降機６００は、索条６２０の繰り出し及び巻き上げによって、端子台６３０に連結された天井用ＬＥＤ照明装置を昇降させる。
【００４１】
本実施形態の昇降式天井用ＬＥＤ照明装置は、例えば、倉庫、工場、体育館等の大規模空間の高天井用照明器具として好適に使用可能である。
【００４２】
以上、実施形態を参照して本発明を説明したが、本発明は、上記実施形態に限定されるものではない。本発明の構成や詳細には、本発明のスコープ内で当業者が理解しうる様々な変更をすることができる。
【符号の説明】
【００４３】
１０    照明部
２０    連結部
３０    電源部
４０    取付部
１００、２００、３００  天井用ＬＥＤ照明装置
１０００  昇降式天井用ＬＥＤ照明装置
【図１】
0006535968.tif 000002
【図２】
0006535968.tif 000003
【図３】
0006535968.tif 000004
【図４】
0006535968.tif 000005